(57)【要約】【課題】従来の表面に油剤を付着させた不織布シートよりなる、又は基材シート上に設けた長繊維層の繊維を部分的に切断して毛羽立たせた清掃用シートは、ホコリ等の捕捉はできるが、比較的大きいゴミ・塵埃等を捕捉し、保持する能力は小さく、清掃能力が充分でなかった。【解決手段】少なくとも１枚の不織布シート２に、縦方向に所定間隔毎に多数の貫通した切れ目３を設けて切れ目列４を形成し、該切れ目列４を横方向に複数列設けてなる清掃用シート１を用いる。【選択図】　図１
2004065387.tif 000002
【特許請求の範囲】
【請求項１】
少なくとも１枚の不織布シートに、多数の貫通した切れ目を設けてなることを特徴とする清掃具用シート。
【請求項２】
少なくとも１枚の不織布シートに、縦方向に所定間隔毎に多数の貫通した切れ目を設けて切れ目列を形成し、該切れ目列を横方向に複数列設けてなることを特徴とする清掃具用シート。
【請求項３】
複数枚の不織布シートを重合し、この多層不織布シートに、各層を貫通する切れ目を多数設け、多層不織布シートの周縁部の全部又は一部に接合部を設けてなることを特徴とする清掃具用シート。
【請求項４】
複数枚の不織布シートを重合し、この多層不織布シートに、各層を貫通する切れ目を、縦方向に所定間隔毎に多数設けて切れ目列を形成し、該切れ目列の縦方向に沿って接合部を設けてなることを特徴とする清掃具用シート。
【発明の詳細な説明】
【０００１】
【発明の属する技術分野】
本発明は、清掃具に取付けて用いる清掃具用シートに関する。更に詳しくは、ゴミ・塵埃等に対する捕捉性及び保持性を向上させた清掃具用シートに関する。
【０００２】
【従来の技術及び発明が解決しようとする課題】
従来、不織布を原材料とする清掃具用シートは、柄の付いた清掃具に取付けて、フロア、テーブル、家具、壁等の拭き取りに広く用いられている。それに伴ない、多くの清掃具用シートの開発が行なわれている。
【０００３】
例えば従来の清掃用シートとして、▲１▼不織布シートの表面に流動パラフィン等を付着させた清掃用シート、▲２▼基材シート上に設けた一定方向の長繊維フィラメントに交差して一定間隔に接合線を設け、該接合線間の上記長繊維フィラメントを部分的又は全部を切断して表面に毛羽立たせて塵埃を捕捉するようにした清掃用シート（特開２０００−２４５６７０号）が知られている。
【０００４】
しかしながら、上記▲１▼の清掃用シートは、細かいホコリ等が付着によって捕捉される程度で、比較的大きいゴミ・塵埃に対する捕捉能力は小さく、また、ゴミ・塵埃に対する保持力も極めて低い。
また、▲２▼の清掃用シートは、表面の毛羽立ちによりゴミ・塵埃の捕捉性は向上するが、比較的大きいゴミ・塵埃に対する捕捉能力は充分ではなく、また、構造が複雑である上、製造工程が煩雑で製造に手間を要すると共に、コストが高いものとなる。
【０００５】
本発明は上記の問題点を解決するものであり、極めて簡単な構造でありながら、ゴミ・塵埃に対する捕捉性及び保持性を向上させた清掃具用シートを提供することを目的とする。
【０００６】
【課題を解決するための手段】
本発明は、（１）少なくとも１枚の不織布シートに、多数の貫通した切れ目を設けてなることを特徴とする清掃具用シート、（２）少なくとも１枚の不織布シートに、縦方向に所定間隔毎に多数の貫通した切れ目を設けて切れ目列を形成し、該切れ目列を横方向に複数列設けてなることを特徴とする清掃具用シート、（３）複数枚の不織布シートを重合し、この多層不織布シートに、各層を貫通する切れ目を多数設け、多層不織布シートの周縁部の全部又は一部に接合部を設けてなることを特徴とする清掃具用シート、及び（４）複数枚の不織布シートを重合し、この多層不織布シートに、各層を貫通する切れ目を、縦方向に所定間隔毎に多数設けて切れ目列を形成し、該切れ目列の縦方向に沿って接合部を設けてなることを特徴とする清掃具用シート、を要旨とする。
【０００７】
【発明の実施の形態】
本発明について、以下図面を用い、実施例により詳細に説明する。
図１は、本発明の清掃具用シート１の１例を示す平面図である。
図２は、本発明の清掃具用シート１の他の例を示す平面図である。
図３は、本発明の清掃具用シート１に設けられる切れ目の形状の他の例を示す平面図である。
図４は、本発明の清掃具用シート１を清掃具１０に取付けた状態を示す斜視図である。
【０００８】
本発明の清掃具用シート１は、少なくとも１枚の不織布シート２に多数の貫通した切れ目３を設けて構成される。本発明シート１を構成する不織布シート２は、１枚でもよく、或いは複数枚用いてもよい。不織布シート２を複数枚を用いる場合には、同じ大きさの不織布シート２の周縁を合わせて重合して用いる。不織布シート２の枚数は、１枚でも清掃具用シート１として十分用いることができるが、後述するようにゴミ・塵埃の捕捉性及び保持性を向上させ、且つ、全体にボリューム感のある構造とするためには、２枚以上の複数枚の不織布シート２を重合して用いるのが好ましい。通常、２枚若しくは３枚を重合して用いるのが好ましい。
【０００９】
本発明で用いる不織布シート２の材料としては、スパンレース不織布、スパンボンド不織布、サーマルボンド不織布、エアスルーボンド不織布、ポイントボンド不織布等が挙げられ、これらのうちの１種を用いるか、２種以上を併用して用いることができる。特に、スパンレース不織布、サーマルボンド不織布の場合、切れ目３を設けた時に、切断面が起毛し易くなり、毛羽立ち構造が得られ易いので好ましい。
【００１０】
本発明シート１の形状は、一般に長方形、又は正方形であるが、もとよりこれらに限定されるものではなく、楕円形、円形、菱形等の任意の形状に形成することができる。
【００１１】
また、本発明シート１の寸法も任意であり、清掃具１０の台座１１の寸法に相応させることにより決定される。家庭で床等の清掃に用いる清掃具用シート１としては、通常、横３００ｍｍ、縦２００ｍｍの寸法のシートが用いられる。本発明シートは家庭用清掃具に適用されるものに限定されず、工場、オフィス、病院、店舗等で用いられる大型清掃具にも適用できる。その場合には前記寸法よりも大きな寸法の清掃具用シート１として形成される。
【００１２】
前述したように、本発明シート１は、不織布シート２に多数の貫通した切れ目３を設けて構成される。が、ここで貫通した切れ目３とは、不織布シート２の厚み方向に切れ目３が貫通していることを意味する。不織布シート２を複数枚重合した場合にも、この多層不織布シートの各層を貫通するように切れ目３を設ける。切れ目３を設けるためには、不織布シート２に切断線を形成するが、この場合、清掃具シート１を清掃具１０に取付けた状態において、切断線が清掃方向と平行とならないように、つまり清掃方向と非平行の方向に切断線が形成されるようにする。例えば、図１、２において、切断線の方向が清掃方向と直交する方向となるように切れ目３を形成している。縦方向に所定間隔毎に切れ目３を設けることにより、１列の切れ目列４が形成され、このような切れ目列４を横方向に複数列設ける。
【００１３】
図１、２に示すように、シートの左右両端部付近における切れ目列４においては、それぞれ上端部、下端部に切れ目３が存在しないようにするのが好ましい。このように構成することにより清掃具用シート１を清掃具１０の台座１１に取付けする際に、確実に該シート１を保持固定することができ、切れ目３によって保持固定力が弱まることはない。
また、切れ目３は、図１に示すように、シートの左右両端部付近における切れ目列４の切れ目３が、それよりも内部に位置する３列の切れ目に対し短く設けられていてもよい。
【００１４】
切れ目３の数は、多数設けられていればよく、また、切れ目列４の列数も、図１、２の場合、５列であるが、不織布シート２の大きさ又は，清掃具１０の台座１１の大きさに応じて切れ目列４の列数を任意の数で設けることができる。
【００１５】
切れ目３は、図１、２のように、縦方向に同じ位置に来るように設けられるのが好ましく、従って切れ目３と切れ目３の間も縦方向の同じ位置に来るように設けられるのが好ましい。また、上記の切れ目列４の間隔は、平行に設けられていれば、一定間隔で形成されていなくともよい。
【００１６】
切れ目３の形状は、図１、２に示す例では、全て直線を形成しているが、切れ目３の形状は、直線状の切れ目３に限定されない。切れ目３の他の例として、図３に示すように、個々の切れ目３が、連続したぎざぎざ形状（ａ）、連続した波形状（ｂ）、或いは、不連続に半円が交互に反対方向を向いて並んだ形状（ｃ）等、種々の形状が可能である。
【００１７】
また、上記例では、所定の長さの切れ目３が横方向に断続的に設けられているが、切れ目３は断続せずに横方向に連続した１本の直線状に設けられたものであってもよい。
【００１８】
本発明シートを複数枚の不織布シート２を重合して構成する場合は、各不織布シート２を相互に接合するための接合部６を設ける。
【００１９】
接合部６を設けるには、通常、ヒートシール装置により不織布２を挟んで加熱溶融して接合するか、接着剤を用いて接合される。加熱溶融による接合方法として、前記ヒートシール装置の他に、超音波照射により加熱してシールする超音波シール装置を用いることもできる。接着剤としては、ホットメルト接着剤等が用いられる。
【００２０】
接合部６を設ける位置は任意であるが、図１に示すようにシート１の周縁に設けるのが好ましい。同図に示す実施例ではシート１の上端縁７及び下端縁８に接合部６を設けているが、接合部６は、左右両端縁に設けてもよく、或いは全周端縁に設けてもよい。
また、図２に示すように、接合部６は各切れ目列４の縦方向に沿って設けてもよい。このように構成することにより、清掃時に、切れ目３が必要以上に変形するのを防止でき、ゴミ・塵埃の捕捉能力及び一旦捕捉したゴミ・塵埃に対する保持能力を一段と向上できる。
尚、接合部６はシート１の周縁部の箇所及び切れ目列４の縦方向に沿う箇所の両方に設けてもよく、更に接合部６は連続した線状でも、間欠的な線状でも、或いは非連続の点状であってもよい。
【００２１】
本発明シートの製造に当たって、不織布シート２のヒートシールを行う熱刃と不織布シート２に切れ目３を設ける切断刃を備えた装置を用いることができる。このような装置を用いることにより、接合部６の形成と切れ目３の形成とを同時に行うことができる。
【００２２】
本発明の清掃具用シート１は、特に薬剤処理を施さなくても充分に清掃能力を発揮するが、薬剤処理を施して清掃能力を向上させるようにしてもよい。この薬剤処理としては、流動パラフィン等の鉱物油やシリコーンオイル、非イオン系活性剤等の界面活性剤を含む油剤をスプレーによりシート１の表面に付着させる方法を採用できる。
【００２３】
以上の如く構成される清掃具用シート１は、図４に示すように、柄１２の付いた清掃具１０の台座１１に取付けて用いられる。清掃具用シート１を清掃具１０の台座１１に当接させ、シート１の取付け部９を折り曲げて台座１１の上面に巻き付け、シート取付け部９の端部４ヵ所を台座１１の上面に係止して取付ける。
【００２４】
本発明の清掃具用シート１は、上記のように不織布シート２に貫通した切れ目３を多数設けて構成したので、清掃時にゴミ・塵埃が切れ目３によって確実に捕捉され、しかも捕捉されたゴミ・塵埃は切れ目３相互間の空隙部に入り込んで確実に該空隙部に保持される。
【００２５】
清掃時のシート１と床面との摩擦力によって切れ目３は柔軟に変形し、シート１表面に襞状の凹凸粗面が形成される。この凹凸粗面によってゴミ・塵埃は掃き取られ、シート１の表面に捕捉されると共に、捕捉されたゴミ・塵埃は切れ目３相互間の空隙部に入り込み、該空隙部に保持される。
【００２６】
清掃具用シート１の表面に沿って形成される切れ目３の数が多い程、ゴミ・塵埃に対する捕捉性は大きくなるが、一方において、切れ目３相互間の空隙部が清掃具用シート１の厚み方向に数多く存在すれば、ゴミ・塵埃に対する捕捉性、保持性は更に一段と向上する。この意味から不織布シート２は複数枚重合して多層不織布シートとして構成し、これに貫通した切れ目３を設ける構成とすることが好ましい。
【００２７】
このように本発明によれば、切れ目３相互間の空隙部によって比較的大きいゴミ・塵埃も逃がさず捕捉でき、捕捉能力は大きい。また、一旦捕捉したゴミ・塵埃は、空隙部に確実に保持されるため、捕捉後のゴミ・塵埃の離脱を防止できる。
また、切れ目３の形成のため不織布に切断線を入れた時に、切れ目３に不織布の繊維が起毛するために、この起毛部によって微細なゴミ・塵埃も確実に捕捉できる。
【００２８】
【発明の効果】
本発明の清掃具用シートは、少なくとも１枚の不織布シートに、貫通した切れ目を多数設けたので、細かいゴミ・塵埃ばかりか比較的大きなゴミ・塵埃に対しても、その捕捉能力が大きく、しかも一旦捕捉したゴミ・塵埃に対する保持能力も大く、清掃能力に優れたものである。
【図面の簡単な説明】
【図１】本発明の清掃具用シートの一１例を示す平面図である。
【図２】本発明の清掃具用シートの他の例を示す平面図である。
【図３】本発明の清掃具用シートに設ける切れ目の他の例を示す平面図である。
【図４】本発明の清掃具用シートの取付け例を示す斜視図である。
【符号の説明】
１　　　　　清掃具用シート
２　　　　　不織布シート
３　　　　　切れ目
４　　　　　切れ目列
６　　　　　接合部
【図１】
2004065387.tif 000003
【図２】
2004065387.tif 000004
【図３】
2004065387.tif 000005
【図４】
2004065387.tif 000006